(57)【要約】      （修正有）【課題】フォーカス駆動機構に異物の進入を防止し、なおかつ外力に対して強度を上げることができるレンズ駆動装置及び撮像装置を提供する。【解決手段】レンズを光軸方向に進退させる筒部１６と、固定部１５と、筒部１６よりも外側に配置され光軸方向に伸長するガイド部材と、ガイド部材により光軸方向に進退可能に案内されるレンズ保持枠１４と、レンズ保持枠を進退可能に駆動する駆動源と、駆動源を電気的に接続するためのフレキシブル基板と、固定部１５とレンズ保持枠に取り付けられ、レンズ保持枠を光軸方向に付勢する付勢部材とを備える。固定部は付勢部材とガイド部材を配置するための開口部を備えており、フレキシブル基板は、メイン部とメイン部から延長された延長部とを備え、メイン部は開口部の一部を覆うように配置され、延長部を折り曲げることで、折り返された延長部が、開口部の残りの開口を覆うように配置される。【選択図】図１
2015022010.tif 000002
【特許請求の範囲】
【請求項１】
レンズを光軸方向に進退させる筒部１６と、
固定部１５と、
前記筒部１６よりも外側に配置され、前記固定部１５に固定され光軸方向に伸長するガイド部材１０２，１５ｄと、
前記ガイド部材１０２，１５ｄにより光軸方向に進退可能に案内され、かつレンズを保持するレンズ保持枠１４と、
前記レンズ保持枠１４を光軸方向に進退可能に駆動させる駆動源１０１と、
前記駆動源１０１を電気的に接続するためのフレキシブル基板１０４と、
前記固定部１５と前記レンズ保持枠１４に取り付けられ、
前記レンズ保持枠１４を光軸方向に付勢する付勢部材１０３とを備え、
レンズを光軸方向に移動させて合焦動作を行うレンズ駆動装置において、
前記固定部１５は前記付勢部材１０３と前記ガイド部材１０２を配置するための開口部１５ａを備えており、
前記フレキシブル基板１０４は、メイン部１０４ａと、メイン部から延長された延長部１０４ｂと、を備え、
前記メイン部１０４ａは前記開口部１５ａの一部を覆うように配置され、
前記延長部１０４ｂを折り曲げることで、折り返された前記延長部１０４ｂが、前記開口部１５ａの残りの開口を覆うように配置されることを特徴とするレンズ駆動装置。
【請求項２】
前記延長部１０４ｂには電気接続するための電気パターンは配置されていなことと特徴とする請求項１に記載のレンズ駆動装置。
【請求項３】
前記延長部１０４ｂには補強板が取り付けられていることを特徴とする請求項１に記載のレンズ駆動装置。
【発明の詳細な説明】
【技術分野】
【０００１】
本発明はレンズ駆動装置に関し、特に撮像装置への異物進入防止に関するものである。
【背景技術】
【０００２】
従来のレンズ駆動装置の構成として、フォーカス動作を行う時に、ナットとスクリューとを利用して、レンズ位置を調整するものがある（特許文献１参照）。
【０００３】
このタイプのレンズ駆動装置は、通常、モータによって回転するリードスクリューと、リードスクリューに螺合するナットと、ナットに当接した状態で光軸方向に配置されたガイド軸に沿って進退可能に設けられ、レンズを固定するレンズ保持枠を備えている。
【０００４】
レンズ保持枠はバネ付勢されており、常にナットに当接してガタツキのない構成になっている。
このように構成されたレンズ駆動装置は、モータやナット、ガイド軸、バネなどがレンズ鏡筒の筒径よりも外側に配置されていることが多い。
【０００５】
このような構成にすることで、鏡筒内部に配置するよりもモータのサイズ、リードスクリューの長さの自由度が上がる。
【０００６】
これらの部材はレンズ鏡筒の下側に配置されている地板に取り付けられており、組み込み性を容易にするために、ガイド軸や付勢バネ、レンズ保持枠などが外側から見えており、異物の進入や、外力による破損の恐れがあった。
【０００７】
このような問題に対して、これまでのレンズ駆動装置ではモータなどを電気的に接続するためのフレキシブル基板をガイド軸や付勢バネ、レンズ保持枠を覆い隠すように這い回すことで、異物の進入や外力による破損を防止していた。
【先行技術文献】
【特許文献】
【０００８】
【特許文献１】特開２０１１−３４６０９号公報
【発明の概要】
【発明が解決しようとする課題】
【０００９】
しかし、図７の破線部２０１で囲まれた箇所のようにフレキシブル基板でフォーカス駆動部材を全て多い隠すことが困難な例もある。
【００１０】
地板２０３をフレキシブル基板２０２で覆っているが、フレキシブル基板の構成上開口を全て塞ぐことができない。
【００１１】
図８はフレキシブル基板の展開図である。
【００１２】
フレキシブル基板の構成上、図のようにフレキシブル基板をレンズ駆動装置に組み付ける際に折り曲げ可能なようにスリット２０２ａが入ってしまう。
【００１３】
よって、隙間からフォーカス駆動部材へ異物の進入の可能性が高くなったり、外力が加わった時にフォーカス駆動部材に負荷が掛かって破損してしまう恐れがある。
【００１４】
そこで、本発明の目的は、フォーカス駆動部材をフレキシブル基板で覆い隠すような構成のレンズ駆動装置において、どのようなフレキシブル基板の這い回しで合ってもフォーカス駆動部材を十部に覆い隠すことを達成できるレンズ駆動装置を提供することである。
【課題を解決するための手段】
【００１５】
上記問題を解決するために、請求項１に係わる発明によれば、
レンズを光軸方向に進退させる筒部１６と、
固定部１５と、
前記筒部１６よりも外側に配置され、前記固定部１５に固定され光軸方向に伸長するガイド部材１０２，１５ｄと、
前記ガイド部材１０２，１５ｄにより光軸方向に進退可能に案内され、かつレンズを保持するレンズ保持枠１４と、
前記レンズ保持枠１４を光軸方向に進退可能に駆動させる駆動源１０１と、
前記駆動源１０１を電気的に接続するためのフレキシブル基板１０４と、
前記固定部１５と前記レンズ保持枠１４に取り付けられ、
前記レンズ保持枠１４を光軸方向に付勢する付勢部材１０３とを備え、
レンズを光軸方向に移動させて合焦動作を行うレンズ駆動装置において、
前記固定部１５は前記付勢部材１０３と前記ガイド部材１０２を配置するための開口部１５ａを備えており、
前記フレキシブル基板１０４は、メイン部１０４ａと、メイン部から延長された延長部１０４ｂと、を備え、
前記メイン部１０４ａは前記開口部１５ａの一部を覆うように配置され、
前記延長部１０４ｂを折り曲げることで、折り返された前記延長部１０４ｂが、前記開口部１５ａの残りの開口を覆うように配置されることを特徴とする。
【００１６】
また、請求項２に係わる発明によれば、
前記延長部１０４ｂには電気接続するための電気パターンは配置されていなことと特徴とする。
【００１７】
また、請求項３に係わる発明によれば、
前記延長部１０４ｂには補強板が取り付けられていることを特徴とする。
【発明の効果】
【００１８】
以上説明したように、本発明のレンズ駆動装置は、フレキシブル基板を折り返して重ねることで、これまで塞ぎきれなかったフォーカス駆動機構によって生じる開口を塞ぐことが可能となり、ゴミの進入を防止することが可能である。また、折り返して重ねているので、外力に対して強度を上げることが可能となる。
【図面の簡単な説明】
【００１９】
【図１】本発明の実施例を適用した撮像装置の沈胴時の鏡筒断面図
【図２】本発明の実施例を適用した撮像装置の撮影時の鏡筒断面図
【図３】本発明の実施例を適用した撮像装置の鏡筒斜視図
【図４】本発明の実施例を適用した撮像装置の側面図
【図５】本発明の実施例を適用したＣＣＤホルダユニットの展開斜視図
【図６】本発明の実施例を適用したフレキシブル基板の展開図
【図７】フレキシブル基板でフォーカス駆動部材を隠すことが困難な箇所の説明図
【図８】フレキシブル基板の展開図
【発明を実施するための形態】
【００２０】
以下、図１〜図６を参照して、本発明の実施例による撮像装置について説明する。
【実施例１】
【００２１】
本発明の実施形態におけるズームレンズ鏡筒のレンズ系の全体構成を図１、図２、図３に示す。
【００２２】
本発明の実施形態におけるズームレンズ鏡筒は３群レンズ構成で、第１レンズ群１，２を保持する１群レンズ保持枠１１、絞り・シャッタを備える絞り・シャッタユニット１２、第２レンズ群３を保持する２群レンズ保持枠１３と、第３レンズ群４を保持する３群レンズ保持枠１４とから構成されており、ズーム動作によって光軸と平行な方向に光軸上を移動することができる。
【００２３】
また、１群レンズ保持枠１１、２群レンズ保持枠１３は変倍系のレンズ群であり、２群レンズ保持枠１３は防振機構を備え、撮影中に２群レンズ保持枠１３が光軸と直交する方向に移動することで、撮影時の手振れなどを補正する。
【００２４】
３群レンズ保持枠１４は被写体にピントを合わせるためのフォーカスレンズ群となっている。
【００２５】
図１は撮影待機状態でありレンズ群が収納状態となっている沈胴状態を表す図、図２は１群レンズ保持枠１１、２群レンズ保持枠１３、３群レンズ保持枠１４が繰り出して撮影状態になったＷＩＤＥ状態を表す図である。
【００２６】
ＣＣＤホルダユニット１５には、フォーカスレンズ群とＣＣＤ６が取り付けられている。
【００２７】
ＣＣＤホルダ１５にはＣＣＤプレート１７を介してＣＣＤ６が支持されており、ＣＣＤ６の前部にはＣＣＤホルダ１５とＣＣＤゴム１８に挟まれて光学フィルター５が配置されている。
【００２８】
図３の斜視図に示すように本発明におけるレンズ鏡筒は、ズーム機構を構成する部品である固定カム筒１６と、ＣＣＤホルダユニット１５がビスで締結されて一つのレンズ鏡筒として成り立っている。
【００２９】
ＣＣＤホルダ１５にはズームモータ１９と図示していないギヤ列が配置されている。
【００３０】
ズームモータ１９には図示していないが、駆動軸にギヤが取り付けられており、ズームモータ１９の駆動力によってギヤが回転し、ギヤ列を介して回転筒へと伝達され、レンズ鏡筒が光軸方向に駆動することが可能となる。
【００３１】
次にＣＣＤホルダユニット１５に取り付けられているフォーカス駆動機構の詳細な構成を図４、図５を用いて説明する。
【００３２】
また、ＣＣＤホルダ１５には、３群レンズ保持枠１４が光軸方向に直進移動可能に支持されている。
【００３３】
すなわち、図４、図５に示すようにＣＣＤホルダ１５に撮影光軸と平行なメインガイド軸１０２がＣＣＤホルダ１５の穴部１５ｂに圧入されて固定されており、回転規制用のサブガイド軸１５ｄがＣＣＤホルダ１５に一体形成されている。
【００３４】
この一対のガイド軸１５ｂ，１５ｄに対してそれぞれ、３群レンズ保持枠１４に形成したガイド孔１４ａ、１４ｂが摺動可能に嵌っている。
【００３５】
付勢バネ１０３は、３群レンズ保持枠１４のバネ掛け部１４ｃとＣＣＤホルダ１５のバネ掛け部１５ｃにそれぞれ掛けられている。
【００３６】
３群レンズ保持枠１４は、付勢バネ１０３によって常に光軸方向前方に付勢されている。
【００３７】
ナット１０５は、３群レンズ保持枠１４に構成されているナット受け部１４ｄと当接する。
【００３８】
フォーカス駆動モータ１０１は図３の斜視図に示すように、ＣＣＤホルダ１５に対してビスによって締結されて固定されている。
【００３９】
ナット１０５に対して、フォーカス駆動モータ１０１のリードスクリュー１０６が回転すると、ナット１０５とリードスクリュー１０６の螺合関係により、３群レンズ保持枠１４が光軸方向に進退されるのである。
【００４０】
１０７は３群レンズ保持枠１４の初期位置を検出するためのフォトインタラプタで図５には図示していないが、フレキシブル基板に接続されており、ＣＣＤホルダ１５の開口部１５ｅに取り付けられている。
【００４１】
３群レンズ保持枠１４に構成されている遮光板１４ｅが沈胴時にフォトインタラプタ１０７のスリット部を通過することで、３群レンズ保持枠１４が初期位置に戻ってきたことを検出する。
【００４２】
次にフォーカスモータ１０１やズームモータ１９、フォトインタラプタ１０７と電源基板とを電気的に接続するためのフレキシブル基板１０４の構成を図３〜図６を使って説明する。
【００４３】
図６はフレキシブル基板１０４の展開図である。
【００４４】
図６のようにフレキシブル基板１０４はメインフレキシブル基板１０４ａと延長部１０４ｂとに分けられている。
【００４５】
メイン部１０４ａには、図示していないがフォーカスモータやズームモータ、フォトインタラプタなどと接続するための電気接続パターンが配置されている。
【００４６】
前記フォーカスモータ、ズームモータ、フォトインタラプタなどから接続された電気接続パターンは、カメラ本体側の電源基板に接続するための接続部１０４ｃに集結する。
【００４７】
延長部１０４ｂは電気接続するためのパターンは無いが、補強部材１０４ｄ（斜線部）が裏面に取り付けられている。
【００４８】
フレキシブル基板１０４は図３のようにＣＣＤホルダ１５に対して取り付けられていて、ズームモータ１９の図示していない端子部、フォーカスモータ１０１の端子部、フォトインタラプタに接続されている。
【００４９】
図４、図５のようにＣＣＤホルダには付勢バネや３群レンズ保持枠、メインガイド軸を収容するための開口部１５ａが構成されている。
【００５０】
フレキシブル基板１０４が開口部１５ａを覆う構成の説明をする。
【００５１】
フレキシブル基板１０４のメイン部１０４ａと延長部１０４ｂの境界部を折り曲げることで、図３のようにメイン部１０４ａと延長部１０４ｂで前記開口部１５ａを覆い隠すように這い回されて、メイン部１０４ａはＣＣＤホルダ１５の位置決め軸１５ｆに固定され、折り返された延長部１０４ｂは位置決め軸１５ｇに固定される。
【００５２】
このような構成にすることで、メイン部１０４ａだけでは塞ぎきれない開口を延長部１０４ｂで塞ぐことが可能となる。
【００５３】
以上、説明したように、本発明の実施例を適用することで、フォーカス駆動機構によって生じる開口を覆い、ゴミの進入を防止することが可能である。
【００５４】
また、フレキシブル基板を折り返して重ねることで、外力に対して強度を上げることが可能となる。
【００５５】
本発明の好ましい実施形態について説明したが、本発明はこれらの実施形態に限定されず、その要旨の範囲内で種々の変形及び変更が可能である
【符号の説明】
【００５６】
１４‥‥３群レンズ保持枠
１５‥‥ＣＣＤホルダ
１０１‥‥フォーカスモータ
１０２‥‥ガイド軸
１０３‥‥付勢バネ
１０４‥‥フレキシブル基板
１０５‥‥ナット
１０６‥‥リードスクリュー
１０４ａ‥‥メインフレキシブル基板
１０４ｃ‥‥延長部
【図１】
2015022010.tif 000003
【図２】
2015022010.tif 000004
【図３】
2015022010.tif 000005
【図４】
2015022010.tif 000006
【図５】
2015022010.tif 000007
【図６】
2015022010.tif 000008
【図７】
2015022010.tif 000009
【図８】
2015022010.tif 000010